(57)【要約】【課題】改善された調節可能なソケットを提供すること。【解決手段】調節可能なソケットには、縦軸を有する筐体を備える。鍔部が、筐体に連結可能であり、筐体に沿って移動可能である。鍔部の下端部は面取りされる。円周に等間隙の複数の開口凹部が筐体で延伸する。顎部が各開口凹部に取り付けられ、開口凹部で摺動可能かつ半径方向に移動する。各顎部には、平坦な内面部と面取りした外面部がある。顎部は、軸から半径方向外側に付勢される。第１方向に筐体の周りを鍔部が回転することによって、顎部の面取りした面に対して鍔部の面取りした端部を押し出し、半径方向内側に顎部を押し込み、内面部の間に位置する締結具に対して内面部を押し出す。反対方向に鍔部を回転することによって、顎部が半径方向外側に付勢され、締結具を解放することができる。【選択図】図１
2011518678.tif 000002
【特許請求の範囲】
【請求項１】
調節可能なソケットであって、
縦軸を有する筐体と、
前記筐体に連結可能であり、前記筐体に沿って移動可能であり、面取りした内周部を有する調節鍔部と、
前記筐体で延伸する複数の開口凹部と、
各々が前記開口凹部のうち対応する１つに摺動可能かつ半径方向に移動可能な複数の顎部とを備え、各顎部は、
平坦な内面部と、
前記調節鍔部の前記面取りした内周部で摺動可能な面取りした外面部と、
前記顎部を付勢して前記縦軸から半径方向に離す付勢要素とを有し、
前記顎部は、全開位置と全閉位置との間のさまざまな位置に移動可能であり、前記顎部の最外部は、前記顎部のさまざまな位置で前記調節可能なソケットの最外周部内に留まる調節可能なソケット。
【請求項２】
前記調節鍔部の前記面取りした内周部は、前記調節鍔部の下端部にある請求項１に記載の調節可能なソケット。
【請求項３】
前記調節鍔部内で、前記面取りした内周部の上方にある室部と、
各顎部の面取りした外面部に隣接し、前記室部内に突出して移動可能な外側に突出した唇部とをさらに備える請求項２に記載の調節可能なソケット。
【請求項４】
各顎部と開口凹部のうち対応する各１つとの間で連結する舌部および溝部をさらに備える請求項３に記載の調節可能なソケット。
【請求項５】
前記顎部の上方にある筐体によって支持可能なフランジと、
前記顎部の内面部の間の前記フランジから延伸する突起部とを有する保持器をさらに備え、
各付勢要素が前記突起部と前記顎部のうち対応する１つとの間に延伸する請求項３に記載の調節可能なソケット。
【請求項６】
筐体と前記調節鍔部は、断面が円形であり、
前記調節鍔部は、前記筐体に螺合可能であり、前記筐体の周りを回転可能にして前記筐体に沿って同軸上で前記調節鍔部を移動させる請求項３に記載の調節可能なソケット。
【請求項７】
筐体にあり、前記調節鍔部に対して前記筐体を回転させるドライバー工具を着脱可能に受けるドライバー用凹部をさらに備える請求項３に記載の調節可能なソケット。
【請求項８】
筐体に固定され、前記調節鍔部に対して前記筐体を回転させるドライバー工具をさらに含む請求項３に記載の調節可能なソケット。
【請求項９】
筐体に対して第１の方向に前記調節鍔部が回転することによって、前記顎部の面取りした外面部に対して前記調節鍔部の前記面取りした内周部を押し出し、軸に対して半径方向内側に前記顎部を押し込み、
前記筐体に対して前記第１の方向とは反対の第２の方向に前記調節鍔部が回転することによって、付勢要素は前記調節鍔部の面取りした内周部に対して半径方向外側に前記顎部を動作可能にする請求項３に記載の調節可能なソケット。
【請求項１０】
開口凹部は筐体の円周に等間隔にある請求項３に記載の調節可能なソケット。
【請求項１１】
前記調節鍔部は、筐体の周りを回転作動可能にして前記顎部を調整可能な位置にする請求項３に記載の調節可能なソケット。
【請求項１２】
筐体にねじ山領域および非ねじ山領域と、
前記調節鍔部にねじ山領域および非ねじ山領域とをさらに備え、
前記筐体の前記ねじ山領域は、前記調節鍔部の前記非ねじ山領域との位置揃えを可能にし、前記調節鍔部の前記ねじ山領域は、前記筐体の前記非ねじ山領域との位置揃えを可能にし、前記筐体に沿って同軸上に前記調節鍔部が回転しないで移動が可能となる請求項３に記載の調節可能なソケット。
【請求項１３】
筐体にあり、複数の印を有し、各印が前記顎部のさまざまな位置のうち１つの位置に対応する較正目盛りをさらに備える請求項３に記載の調節可能なソケット。
【請求項１４】
前記調節鍔部は、円筒上端部と円筒下端部との間の中央に円錐台部をさらに備え、
前記室部は、円筒部の上方に円錐台部をさらに備える請求項３に記載の調節可能なソケット。
【請求項１５】
前記調節鍔部は外円筒を形成し、
前記室部は円筒形である請求項３に記載の調節可能なソケット。
【請求項１６】
筐体は前記調節鍔部の下端部より下方に延伸し、
前記開口凹部は縦軸方向に延伸し、
前記顎部は延伸し、延伸した各顎部が前記開口凹部のうち対応する１つで摺動可能かつ半径方向に移動する請求項３に記載の調節可能なソケット。
【請求項１７】
各付勢要素は、対応する直径方向に対向した対の前記顎部の間で延伸する請求項３に記載の調節可能なソケット。
【請求項１８】
各顎部は、
中央層と、
２つの対向した上側層と、
２つの対向した下側層と、
前記２つの対向した上側層と前記中央層を通して固定される第１のリベットと、
前記２つの対向した下側層と前記中央層を通して固定される第２のリベットとを備える請求項３に記載の調節可能なソケット。
【請求項１９】
前記調節鍔部は、主要部と、前記主要部の周りを連動可能なリングをさらに備える請求項３に記載の調節可能なソケット。
【請求項２０】
前記顎部は、全開位置と全閉位置との間の連続調整可能な位置範囲にわたって移動可能である請求項３に記載の調節可能なソケット。
【請求項２１】
前記顎部の位置範囲にわたって、前記調節鍔部が筐体に対して第１の方向に回転することによって、前記顎部のうち各１つの内面部と前記顎部の間に位置する締結具の対応する面との間に接して伝達する力を加える請求項３に記載の調節可能なソケット。
【請求項２２】
前記顎部の位置範囲にわたって、各顎部の平坦な内面部が、前記顎部の間に位置する締結具の対応する面と平行を維持する請求項３に記載の調節可能なソケット。
【請求項２３】
円周に等間隔にある６つの開口凹部と、６つの顎部を備える請求項３に記載の調節可能なソケット。
【請求項２４】
円周に等間隔にある４つの開口凹部と、４つの顎部を備える請求項３に記載の調節可能なソケット。
【請求項２５】
円周に等間隔にある３つの開口凹部と、３つの顎部を備える請求項３に記載の調節可能なソケット。
【請求項２６】
最外周部を有する調節可能なソケットであって、
縦軸を有する筐体と、
前記筐体に連結可能であり、前記筐体に沿って移動可能であり、面取りした内周部を有する調節鍔部と、
前記筐体で延伸する複数の開口部と、各々が前記開口部のうち対応する１つに摺動可能かつ移動可能な複数の顎部とを備え、各顎部は、
平坦な内面部と、
前記調節鍔部の前記面取りした内周部で摺動可能な面取りした外面部と、
前記顎部を付勢して前記縦軸から離す付勢要素と有し、
前記顎部は、前記軸に向かい、前記軸から離れてさまざまな位置に移動可能であり、前記顎部のさまざまな位置にわたって、前記顎部の最外部が前記調節可能なソケットの外周部内に留まる最外周部を有する調節可能なソケット。
【発明の詳細な説明】
【技術分野】
【０００１】
この開示は、顎部の間に位置する締結具に対して半径方向に移動可能な顎部を備える調節可能なソケットに関する。
【背景技術】
【０００２】
調節可能なソケットは、個々に寸法が固定され、調節不可能なソケットの簡便な代替手段となりうる。さまざまな寸法の締結具（たとえば、ナット、ボルトなど）に適合するのに、調節可能なソケットであれば、単独で調節可能であるが、個々に寸法が固定されるソケットの場合は、ソケット一式のなかから選択する必要がある。また、調節可能なソケットであれば、ソケット一式のなかから選択された固定寸法のソケットより装着用締結具を堅固に把持することができる。逆に、装着用顎部を備える調節可能なソケットであれば、ソケット一式のなかから選択された固定寸法の装着用ソケット一式より堅固に締結具を把持することができる。
【０００３】
調節可能なソケットの望ましい属性には、小型、簡便かつ安価の構成と、滑らずに十分な力を締結具に加えて維持する能力が挙げられる。このような属性は、以下に開示する調節可能なソケットによって得られる。
【０００４】
上に記載した関連技術およびその限定例は、実例であり、通常実施されていることを意図する。関連技術のこのほかの限定例に関しては、本願明細書を解釈し、添付の図面を検討すれば、当業者には明らかとなる。
【発明の概要】
【発明が解決しようとする課題】
【０００５】
本発明は、改善された調節可能なソケットを提供する。
【課題を解決するための手段】
【０００６】
そこで、最外周部を備える調節可能なソケットを開示する。調節可能なソケットは、縦軸がある筐体を備える。調節鍔部が筐体に連結可能であり、筐体に沿って移動可能である。調節鍔部には、面取りした内周部がある。複数の開口部が筐体で延伸する。複数の顎部が、開口部のうち対応する１つで摺動可能かつ半径方向に移動可能である。各顎部には、平坦な内面部と面取りした外面部がある。面取りした外面部は、調節鍔部の面取りした内周部で摺動可能である。付勢要素が、顎部を付勢して縦軸から離す。顎部は、軸に向かい、軸から離れてさまざまな位置に移動可能であり、顎部のさまざまな位置にわたって、顎部の最外部が調節可能なソケットの外周部内に留まる。
【発明の効果】
【０００７】
本願明細書に開示する調節可能なソケットは、小型、簡易かつ安価の構成と、滑らずに十分な力を締結具に加えて維持する能力を備える。
【０００８】
図面を参照して典型的な実施形態を示す。本願明細書に開示する実施形態および図面は、限定するためのものではなく、むしろ説明するためのものとすることが意図される。
【図面の簡単な説明】
【０００９】
【図１】調節可能なソケットの組立分解等角図である。
【００１０】
【図２Ａ】図１の調節可能なソケットの正面図である。
【００１１】
【図２Ｂ】図２Ａに示す２Ｂ−２Ｂ線に沿った断面図である。
【００１２】
【図２Ｃ】図１の調節可能なソケットを上から見た正面斜視図である。
【００１３】
【図２Ｄ】締結具の概略図を含めた図１の調節可能なソケットを下から見た側面分解斜視図である。
【００１４】
【図３Ａ】図１の調節可能なソケットの筐体の正面図である。
【図３Ｂ】図１の調節可能なソケットの筐体の底面図である。
【図３Ｃ】図１の調節可能なソケットの筐体の底面斜視図である。
【００１５】
【図３Ｄ】図３Ａに示す３Ｄ−３Ｄ線に沿った断面図である。
【図３Ｅ】図３Ａに示す３Ｅ−３Ｅ線に沿った断面図である。
【図３Ｆ】図３Ａに示す３Ｆ−３Ｆ線に沿った断面図である。
【図３Ｇ】図３Ａに示す３Ｇ−３Ｇ線に沿った断面図である。
【００１６】
【図４Ａ】図１の調節可能なソケットの顎部の正面図である。
【図４Ｂ】図１の調節可能なソケットの顎部の側面図である。
【図４Ｃ】図１の調節可能なソケットの顎部を上から見た正面斜視図である。
【図４Ｄ】図１の調節可能なソケットの顎部を上から見た背面斜視図である。
【００１７】
【図５Ａ】概略的に示す締結具に顎部を密着させる調節可能なソケットの動作を示す矢印を含めた図１の調節可能なソケットの正面断面図であり、顎部が全開した状態を示す図である。
【図５Ｂ】概略的に示す締結具に顎部を密着させる調節可能なソケットの動作を示す矢印を含めた図１の調節可能なソケットの部分底面図であり、顎部が全開した状態を示す図である。
【図５Ｃ】概略的に示す締結具に顎部を密着させる調節可能なソケットの動作を示す矢印を含めた図１の調節可能なソケットの底面斜視図であり、顎部が全開した状態を示す図である。
【００１８】
【図６Ａ】概略的に示す締結具に接した顎部を示す図１の調節可能なソケットの正面断面図である。
【図６Ｂ】概略的に示す締結具に接した顎部を示す図１の調節可能なソケットの部分底面図である。
【図６Ｃ】概略的に示す締結具に接した顎部を示す図１の調節可能なソケットの底面斜視図である。
【００１９】
【図７Ａ】全開した位置にある顎部を示す図１の調節可能なソケットの正面断面図である。
【図７Ｂ】全開した位置にある顎部を示す図１の調節可能なソケットの上面斜視図である。
【図７Ｃ】全開した位置にある顎部を示す図１の調節可能なソケットの底面斜視図である。
【図７Ｄ】全開した位置にある顎部を示す図１の調節可能なソケットを下から見た部分底面図である。
【００２０】
【図８Ａ】第１の部分的に開いた位置にある顎部を示す図１の調節可能なソケットの正面断面図である。
【図８Ｂ】第１の部分的に開いた位置にある顎部を示す図１の調節可能なソケットの上面斜視図である。
【図８Ｃ】第１の部分的に開いた位置にある顎部を示す図１の調節可能なソケットの底面斜視図である。
【図８Ｄ】第１の部分的に開いた位置にある顎部を示す図１の調節可能なソケットを下から見た部分底面図である。
【００２１】
【図９Ａ】第２の部分的に開いた位置にある顎部を示す図１の調節可能なソケットの正面断面図である。
【図９Ｂ】第２の部分的に開いた位置にある顎部を示す図１の調節可能なソケットの上面斜視図である。
【図９Ｃ】第２の部分的に開いた位置にある顎部を示す図１の調節可能なソケットの底面斜視図である。
【図９Ｄ】第２の部分的に開いた位置にある顎部を示す図１の調節可能なソケットを下から見た部分底面図である。
【００２２】
【図１０Ａ】全閉した位置にある顎部を示す図１の調節可能なソケットの正面断面図である。
【図１０Ｂ】全閉した位置にある顎部を示す図１の調節可能なソケットの上面斜視図である。
【図１０Ｃ】全閉した位置にある顎部を示す図１の調節可能なソケットの底面斜視図である。
【図１０Ｄ】全閉した位置にある顎部を示す図１の調節可能なソケットを下から見た部分底面図である。
【００２３】
【図１１Ａ】図１の調節可能なソケットとラチェット型のソケットドライバー工具との連結を示す上から見た分解斜視図である。
【図１１Ｂ】図１の調節可能なソケットとラチェット型のソケットドライバー工具との連結を示す上面斜視図である。
【図１１Ｃ】図１の調節可能なソケットとラチェット型のソケットドライバー工具との連結を示す底面斜視図である。
【００２４】
【図１２Ａ】（図３Ａ〜３Ｇにも示す）第１の筐体の正面図である。
【図１２Ｂ】（図３Ａ〜３Ｇにも示す）第１の筐体の上面斜視図である。
【図１２Ｃ】第１の筐体と係合するように構成される顎部を上から見た背面斜視図である。
【図１２Ｄ】第１の筐体と係合するように構成される顎部を上から見た正面斜視図である。
【００２５】
【図１３Ａ】第２の筐体の正面図である。
【図１３Ｂ】第２の筐体の上面斜視図である。
【図１３Ｃ】第２の筐体と係合するように構成される顎部を上から見た背面斜視図である。
【図１３Ｄ】第２の筐体と係合するように構成される顎部を上から見た正面斜視図である。
【００２６】
【図１４Ａ】第３の筐体の正面図である。
【図１４Ｂ】第３の筐体の上面斜視図である。
【図１４Ｃ】第３の筐体と係合するように構成される顎部を上から見た背面斜視図である。
【図１４Ｄ】第３の筐体と係合するように構成される顎部を上から見た正面斜視図である。
【００２７】
【図１５Ａ】第４の筐体の正面図である。
【図１５Ｂ】第４の筐体の上面斜視図である。
【図１５Ｃ】第４の筐体と係合するように構成される顎部を上から見た背面斜視図である。
【図１５Ｄ】第４の筐体と係合するように構成される顎部を上から見た正面斜視図である。
【００２８】
【図１６Ａ】顎部を急閉する機能を備える調節可能なソケットを上から見た正面斜視図であり、顎部が全開した状態を示す図である。
【図１６Ｂ】顎部を急閉する機能を備える調節可能なソケットの上面図であり、顎部が全開した状態を示す図である。
【図１６Ｃ】顎部を急閉する機能を備える調節可能なソケットを上から見た正面斜視図であり、顎部を急閉する調節可能なソケットの動作を示す図である。
【図１６Ｄ】顎部を急閉する機能を備える調節可能なソケットの上面図であり、顎部を急閉する調節可能なソケットの動作を示す図である。
【図１６Ｅ】顎部を急閉する機能を備える調節可能なソケットを上から見た正面斜視図であり、顎部を締める調節可能なソケットの動作を示す図である。
【図１６Ｆ】顎部を急閉する機能を備える調節可能なソケットの上面図であり、顎部を締める調節可能なソケットの動作を示す図である。
【００２９】
【図１７Ａ】顎部が開閉の顎部の位置を示す目盛を備える調節可能なソケットの正面図である。
【図１７Ｂ】顎部が開閉時の顎部の位置を示す目盛を備える調節可能なソケットの上面斜視図である。
【００３０】
【図１８Ａ】別の調節鍔部を備える調節可能なソケットの正面図である。
【図１８Ｂ】別の調節鍔部を備える調節可能なソケットの（図１８Ａに示す１８Ｂ−１８Ｂ線に沿った）正面断面図である。
【図１８Ｃ】別の鍔部を備える調節可能なソケットの上面斜視図である。
【００３１】
【図１９Ａ】「深い」調節可能なソケットの正面図である。
【図１９Ｂ】「深い」調節可能なソケットの（図１９Ａに示す１９Ｂ−１９Ｂ線に沿った）正面断面図である。
【図１９Ｃ】「深い」調節可能なソケットの上面斜視図である。
【００３２】
【図２０Ａ】直径方向に対向した対の顎部の間の付勢部材を備える調節可能なソケットの正面図である。
【図２０Ｂ】直径方向に対向した対の顎部の間の付勢部材を備える調節可能なソケットの（図２０Ａに示す２０Ｂ−２０Ｂ線に沿った）正面断面図である。
【図２０Ｃ】調節可能なソケットの付勢部材と６つの顎部のうち４つの顎部の上面斜視図である。
【図２０Ｄ】調節可能なソケットの付勢部材と６つの顎部の上面斜視図である。
【００３３】
【図２１Ａ】積層構造の顎部を上から見た正面斜視図である。
【図２１Ｂ】積層構造の顎部を側面図である。
【図２１Ｃ】積層構造の顎部を正面図である。
【図２１Ｄ】積層構造の顎部を正面分解斜視図である。
【００３４】
【図２２】別の調節鍔部を上から見た正面斜視図である。
【００３５】
【図２３Ａ】概略的に示す締結具に顎部を密着させる調節可能なソケットの動作を示す矢印を含めた４つの顎部を備える調節可能なソケットの底面図であり、顎部が全開した状態を示す図である。
【図２３Ｂ】概略的に示す締結具に顎部を密着させる調節可能なソケットの動作を示す矢印を含めた４つの顎部を備える調節可能なソケットの部分底面図であり、顎部が全開した状態を示す図である。
【図２３Ｃ】概略的に示す締結具に顎部を密着させる調節可能なソケットの動作を示す矢印を含めた４つの顎部を備える調節可能なソケットの底面斜視図であり、顎部が全開した状態を示す図である。
【００３６】
【図２４Ａ】概略的に示す締結具に顎部を密着させる調節可能なソケットの動作を示す矢印を含めた３つの顎部を備える調節可能なソケットの底面図であり、顎部が全開した状態を示す図である。
【図２４Ｂ】概略的に示す締結具に顎部を密着させる調節可能なソケットの動作を示す矢印を含めた３つの顎部を備える調節可能なソケットの部分底面図であり、顎部が全開した状態を示す図である。
【図２４Ｃ】概略的に示す締結具に顎部を密着させる調節可能なソケットの動作を示す矢印を含めた３つの顎部を備える調節可能なソケットの底面斜視図であり、顎部が全開した状態を示す図である。
【発明を実施するための形態】
【００３７】
当業者の理解を深めるために、以下の記載を通して具体的な詳細を示す。ただし、この開示が不必要に曖昧となるのを避けるために、周知の構成要素に関しては、必ずしも詳細に示しておらず、記載していない。このため、この記載と図面は、限定するというよりむしろ説明することに趣旨がある。
【００３８】
図１および２Ａ〜２Ｄは、筐体１２、調節鍔部１４、複数の顎部１６、保持器１８および複数の付勢部材（たとえばバネ）２０を備える調節可能なソケット１０を表す。
【００３９】
筐体１２（図３Ａ〜３Ｃにもそれぞれ示す）は、一般に円筒形状（言わば断面積が円形）であり、縦軸２２を有する。複数（たとえば６つ）の開口部または開口凹部２４が、筐体１２の円周に等間隔で形成され、筐体１２の下端部に延伸する。対向した対の舌部２６が、各開口凹部２４の下端部に突出している。筐体１２の上端部には、２８で示すように雄ねじ山が設けられる。本願明細書で用いる「下部」および「上部」という用語は、図１に示す位置に関するものであることが理解される。図１１Ａ〜１１Ｃに示すラチェット型のソケットレンチ３１などの標準のソケットドライバー工具の差込角２９を着脱可能に受けるように、筐体１２の上端部にはドライバー用凹部３０が形成される。また、ドライバー用凹部３０が、パワードリル、パワードライバー、手動ドライバーなどに取り付けられた適切な大きさや形状の差込角を着脱可能に受けてもよい。上に記載した筐体１２のドライバー用凹部３０の代わりに、筐体１２にハンドルなどのドライバー工具を直接取り付けてもよい。
【００４０】
調節鍔部１４は、断面が円形である。３２（図１）で示すように、調節鍔部１４の下端部では内周部が面取りされている。調節鍔部１４内で、面取りした下端部３２の上方には、室部３４（図２Ｂに示す）が形成される。以下に説明するように、筐体１２のねじ山を設けた上端部２８に螺合するように、調節鍔部１４の上端部には３６で示す雌ねじ山が設けられる。
【００４１】
各顎部１６（図４Ａ〜４Ｄには１つの顎部を示す）には、平坦な内面部３８、平坦な上面部３９および面取りした中央の外面部４０を備え、図１に示すように、「内面」は軸２２に対して内側に向いていることを意味し、「外面」は、軸２２から外側に向いていることを意味することが理解される。面取りされた面４０の上方にある各顎部１６の上端部には、外側に突出した唇部４２が形成される。各顎部１６の下端部側に、対向した対の溝部４４が形成される。各顎部１６の内面部３８の上端部に、凹部４６が形成される。調節可能なソケット１０には、３対の直径方向に対向した対の顎部１６（言わば計６つの顎部１６）を備えてもよい。
【００４２】
各顎部１６を開口凹部２４のうち対応する１つに嵌め込むのに適合し、各顎部１６がそれぞれ対応する開口凹部２４に摺動可能かつ半径方向に移動し、開口凹部２４内では顎部１６が軸２２に対して内側または外側に傾かないような大きさや形状で、開口凹部２４、舌部２６、顎部１６および溝部４４が形成される。
【００４３】
各顎部の上面部３９と溝部４４の上端部との間の変位ｄ１（図４Ａ）と、各顎部の上面部３９と凹部４６の中心との間の変位ｄ２（図４Ａ）と、各開口凹部２４の筐体１２の壁厚は、調節可能なソケット１０の作動時に、摩擦によって顎部１６が自動ロックしないように、周知の力平衡原理に従って選択される。このような操作（以下にさらに詳細に記載）時には、顎部１６の間に締結具４７の六角形の頭部（図１）が把持され、各顎部１６の内面部３８の下端部を締結具４７の六角形の頭部の外面のうち対応する１つに対して押し付ける。このように押し付けることによって、各顎部１６の上端部が内側に傾き、各顎部１６の下端部が外側に傾く傾向がある。このように傾かないように、各顎部の上面部３９が筐体１２の開口凹部２４のうち対応する１つの上部２５を支持し、締結具４７の回転時には、各顎部の面取りした中央部にある外面部４０が調節鍔部１４の下端部３２を支持して顎部が半径方向に外側に移動しないようにする。
【００４４】
保持器１８（図１）には、上部円形フランジ部４８がある。フランジ４８の中心からは、止め具５０が下向きに突出する。止め具５０には、複数の凹部５２が円周に等間隔に形成される。
【００４５】
図２Ｂに示すように、フランジ４８が筐体１２の内面部５４に接触するまで保持器１８を筐体１２の下端部に圧入して調節可能なソケット１０を組み立てる。次に、顎部の内面部３８が軸２２に対して内側に向くように、各顎部１６を開口凹部２４のうち対応する１つに摺動可能に取り付ける。次に、各顎部１６の凹部４６と止め具５０のそれぞれ対応する凹部５２との間に、ばね２０をそれぞれ圧縮して取り付ける。別の実施形態では、顎部および／または止め具には、凹部の代わりに突起部を設けてもよく、この場合、ばねは突起部の周囲に取り付けられることになる。顎部１６を軸２２に対して半径方向内側に一時的に圧縮して開口凹部２４に嵌め込むために、締め付けリング（図示せず）などを使用する。次に、調節鍔部１４の室部３４内に顎部１６の唇部４２が達するまで回転し、筐体１２のねじ山を設けた上端部２８に、調節鍔部１４の雌ねじ山を設けた上端部３６を螺合する。次に、締め付けリングを取り除き、顎部の面取りした外面部４０が調節鍔部１４の面取りした下端部３２に接するまで、ばね２０が軸２２から半径方向外側に顎部１６を付勢できるようにする。
【００４６】
図５Ａ〜５Ｃおよび６Ａ〜６Ｃに示すように、操作時には、調節鍔部１４が、筐体１２の周りを第１の方向５３に回転し、筐体１２に沿って同軸上を下方に移動する。これにより、調節鍔部１４の面取りした下端部３２が、顎部の面取りした外面部４０に対して押し出され、ばね２０の付勢力を上回り、矢印５５で示すように半径方向内側に顎部１６が押し込まれる。このため、図６Ａ〜６Ｃに示すように、顎部の内面部３８は、内面部３８の間に位置する締結具４７（たとえばボルトまたはナット）の六角形の頭部に対して押し出される。
【００４７】
調節鍔部１４が、筐体１２の周りを第１の方向５３とは逆向きの第２の方向に回転し、筐体１２に沿って同軸上を上方に移動する。そこで、ばね２０により、調節鍔部１４の面取りした下端部３２に対して半径方向外側（言わば矢印５５が示す方向とは反対方向）に顎部１６が移動し、顎部１６が開いて締結具４７を解放する。
【００４８】
図７Ａ〜７Ｄは、顎部の内面部３８に接線方向の抽象円Ｃ１（図７Ｄ）の直径が最大となる全開した位置にある顎部１６を示す。図７Ａに示すように、顎部１６の外側に突出した唇部４２が、室部３４の下部リム５６によってそれ以上下側に移動しないことから、調節可能なソケット１０内に顎部１６が保持される。
【００４９】
図８Ａ〜８Ｄは、調節鍔部１４が筐体１２の周りを回転し、第１の部分的に開いた位置に顎部１６を移動させた後の調節可能なソケット１０を示し、顎部の内面部３８に接線方向の抽象円Ｃ２（図８Ｄ）の直径が抽象円Ｃ１の直径に比して小さい。
【００５０】
図９Ａ〜９Ｄは、調節鍔部１４が筐体１２の周りをさらに回転し、第２の部分的に開いた位置に顎部１６を移動させた後の調節可能なソケット１０を示し、顎部の内面部３８に接線方向の抽象円Ｃ３（図９Ｄ）の直径が抽象円Ｃ２の直径に比して小さい。
【００５１】
図１０Ａ〜１０Ｄは、調節鍔部１４が筐体１２の周りをさらに回転し、全閉した位置に顎部１６を移動させた後の顎部１６を示し、顎部の内面部３８に接線方向の抽象円Ｃ４（図１０Ｄ）の直径が最小となる。
【００５２】
図８Ａ〜８Ｄおよび９Ａ〜９Ｄは、多数の部分的に閉じた位置のうち２点の位置を示す。調節鍔部１４が筐体１２の周りを回転することにより、図７Ａ〜７Ｄに示す全開位置と図１０Ａ〜１０Ｄに示す全閉位置との間の部分的に閉じた位置を連続的に調整できる範囲に、顎部１６を選択的に留めることが容易となる。
【００５３】
図７Ａ〜７Ｄ、８Ａ〜８Ｄ、９Ａ〜９Ｄおよび１０Ａ〜１０Ｄを比較すれば、連続的に調整できる範囲のどの位置に顎部１６が留まっても、調節可能なソケット１の最大外周内に顎部１６の最外部が留まる（換言すれば、顎部１６の最外部が調節鍔部１４の下端部６４の外周より半径方向外側に延伸しない）ことがわかる。これにより、調節可能なソケット１０は顎部１６が全開位置、全閉位置またはその中間位置にあっても同じ小型形状を維持する。
【００５４】
６つの各顎部１６の内面部３８は、締結具４７の六角形の頭部の６つの外面のうち対応する１つに接して力を伝達する。このような力の伝達は、連続的に調整できる範囲のどの位置に顎部１６が留まっても維持される。このため、連続的に調整できる範囲のどの位置に顎部１６が留まっても、締結具４７の六角形の頭部の６つの各外面に、回転動力が均等に伝播して加わる。
【００５５】
連続的に調整できる範囲のどの位置に顎部１６が留まっても、各顎部１６の平坦な内面部３８が、締結具４７の六角形の頭部の６つの平坦な外面のうち対応する１つと平行を維持する。このため、各顎部１６の各内面部３８は、締結具４７の六角形の頭部の６つの外面のうち対応する１つに接し、平坦な表面を介した力を伝達する。平坦な表面を介した力の接点は、連続的に調整できる範囲のどの位置に顎部１６が留まっても維持される。
【００５６】
図１２Ａ〜１２Ｄ、１３Ａ〜１３Ｄ、１４Ａ〜１４Ｄおよび１５Ａ〜１５Ｄは、さまざまな構造の筐体１２および顎部１６を示し、上に記載した構造の筐体１２および顎部１６を示す図１２Ａ〜１２Ｄとの比較目的に用いる。
【００５７】
図１３Ａ〜１３Ｂは、別の筐体１２Ａを表す。図面では、筐体１２と別の筐体１２Ａに共通する構成要素には同じ符号を付与し、さらに記載する必要はないものとする。図１３Ａ〜１３Ｂでは、別の筐体１２Ａに特有の構成要素には、接尾語「Ａ」を含む符号を付与する。具体的には、複数（たとえば６つ）の開口凹部２４Ａが、円周に等間隔で形成され、別の筐体１２Ａの下端部に延伸する。対向した対の溝部２６Ａが、各開口凹部２４Ａの下端部に形成される。
【００５８】
図１３Ｃ〜１３Ｄは、別の顎部１６Ａを表す。図面では、顎部１６と別の顎部１６Ａに共通する構成要素には同じ符号を付与し、さらに記載する必要はないものとする。図１３Ｃ〜１３Ｄでは、別の顎部１６Ａに特有の構成要素には、接尾語「Ａ」を含む符号を付与する。具体的には、対向した対の舌部４４Ａが各顎部１６Ａの下端側から突出している。各顎部１６Ａが開口凹部２４Ａのうち対応する１つに摺動可能かつ半径方向に移動し、開口凹部２４Ａ内では顎部１６Ａが軸２２に対して内側または外側に傾かないような大きさや形状で、開口凹部２４Ａ、舌部４４Ａ、顎部１６Ａおよび溝部２６Ａが形成される。
【００５９】
図１４Ａ〜１４Ｂは、別の筐体１２Ｂを表す。図面では、筐体１２と別の筐体１２Ｂに共通する構成要素には同じ符号を付与し、さらに記載する必要はないものとする。図１４Ａ〜１４Ｂでは、別の筐体１２Ｂに特有の構成要素には、接尾語「Ｂ」を含む符号を付与する。具体的には、複数（たとえば６つ）の開口凹部２４Ｂが、円周に等間隔で形成され、別の筐体１２Ｂの下端部に延伸する。対向した対の舌部２６Ｂが、各開口凹部２４Ｂの下端部に突出している。各舌部２６Ｂは、半円筒形や他の円形である。
【００６０】
図１４Ｃ〜１４Ｄは、別の顎部１６Ｂを表す。図面では、顎部１６と別の顎部１６Ｂに共通する構成要素には同じ符号を付与し、さらに記載する必要はないものとする。図１４Ｃ〜１４Ｄでは、別の顎部１６Ｂに特有の構成要素には、接尾語「Ｂ」を含む符号を付与する。具体的には、各顎部１６Ｂの下端側に、対向した対の溝部４４Ｂが形成される。各溝部４４Ｂは、舌部２６Ｂの形状に一致する半円筒形や他の円形である。各顎部１６Ｂが開口凹部２４Ｂのうち対応する１つに摺動可能かつ半径方向に移動し、開口凹部２４Ｂ内では顎部１６Ｂが軸２２に対して内側または外側に傾かないような大きさや形状で、開口凹部２４Ｂ、舌部２６Ｂ、顎部１６Ｂおよび溝部４４Ｂが形成される。
【００６１】
各開口凹部２４、２４Ａまたは２４Ｂに対向した対の舌部または溝部を備えることも、各顎部１６、１６Ａまたは１６Ｂに対向した対の溝部または舌部を備えることも不可欠ではない。各開口凹部２４、２４Ａまたは２４Ｂの舌部または溝部が１つと、各顎部１６、１６Ａまたは１６Ｂの溝部または舌部が１つあれば、各顎部１６、１６Ａまたは１６Ｂと開口凹部２４、２４Ａまたは２４Ｂうち対応する１つとの間で連結する舌部と溝部を形成するのに十分である。
【００６２】
図１５Ａ〜１５Ｂは、別の筐体１２Ｃを表す。図面では、筐体１２と別の筐体１２Ｃに共通する構成要素には同じ符号を付与し、さらに記載する必要はないものとする。図１５Ａ〜１５Ｂでは、別の筐体１２Ｃに特有の構成要素には、接尾語「Ｃ」を含む符号を付与する。具体的には、別の筐体１２Ｃの下端側に複数（たとえば６つ）の開口凹部２４Ｃが、円周に等間隔で形成される。筐体１２の開口凹部２４と異なり、筐体１２Ｃの開口凹部２４Ｃは別の筐体１２Ｃの下端部に延伸しない（換言すれば、開口凹部２４Ｃは全側面で閉じており、開口凹部２４は底部が開いている）。開口凹部２４Ｃには舌部、溝部などが設けられておらず、各開口凹部は長方形であってよい。
【００６３】
図１５Ｃ〜１５Ｄは、別の顎部１６Ｃを表す。図面では、顎部１６と別の顎部１６Ｃに共通する構成要素には同じ符号を付与し、さらに記載する必要はないものとする。図１５Ｃ〜１５Ｄでは、別の顎部１６Ｃに特有の構成要素には、接尾語「Ｃ」を含む符号を付与する。具体的には、各顎部１６Ｃの側面４５Ｃには、平坦な舌部、溝部などであり、顎部１６Ｃに設けなくてもよい。各顎部１６Ｃは、断面が長方形であり、開口凹部２４Ｃの形状に一致している。各顎部１６Ｃが開口凹部２４Ｃのうち対応する１つに摺動可能かつ半径方向に移動し、開口凹部２４Ｃ内では顎部１６Ｃが軸２２に対して内側または外側に傾かないような大きさや形状で、開口凹部２４Ｃ、顎部１６Ｃが形成される。
【００６４】
各顎部が開口凹部のうち対応する１つに摺動可能かつ半径方向に移動し、開口凹部内では顎部が軸２２に対して内側または外側に傾かないような大きさや形状であれば、ほかにも開口凹部および顎部が形成されることは、当業者であれば思いつくであろう。
【００６５】
図１６Ａ〜１６Ｆは、顎部が急閉する機能を備える別の調節可能なソケット１０Ｄを表す。図面では、調節可能なソケット１０と別の調節可能なソケット１０Ｄに共通する構成要素には同じ符号を付与し、さらに記載する必要はないものとする。別の調節可能なソケット１０Ｄに特有の構成要素には、接尾語「Ｄ」を含む符号を付与する筐体１２Ｄが筐体１２とほぼ同じであり、円周に間隔をおいて形成される非ねじ山領域７０Ｄによって筐体１２Ｄの雄ねじ山２８Ｄが連続していない点が異なる。調節鍔部１４Ｄが調節鍔部１４とほぼ同じであり、円周に間隔をおいて形成される非ねじ山領域７２Ｄによって調節鍔部１４Ｄのねじ山３６Ｄが連続していない点が異なる。雄ねじ山領域２８Ｄが、非ねじ山領域７２Ｄと同じ円周範囲にあり、雌ねじ山領域３６Ｄが、非ねじ山領域７０Ｄと同じ円周範囲にある。これは、図１６Ａ〜１６Ｄに示すように、雄ねじ山領域２８Ｄと非ねじ山領域７２Ｄの位置を揃えることを容易にする。雄ねじ山領域２８Ｄが非ねじ山領域７２Ｄの位置に合っている場合、雌ねじ山領域３６Ｄは非ねじ山領域７０Ｄと位置が揃えられ、この逆も同じことが言える。このような位置揃えによれば、雄ねじ山領域２８Ｄが、雌ねじ山領域３６Ｄと係合しないため、調節鍔部１４Ｄも筐体１２Ｄも回転することなく、図１６Ｃの矢印７４で示すように、調節鍔部１４Ｄが筐体１２Ｄに沿って同軸上を下方に急に移動することができる。このように下方に急に移動すると、顎部１６を閉じる。顎部１６が所望とする程度に急閉した時点で、調節鍔部１４Ｄは、図１６Ｅ〜１６Ｆの矢印７６で示すように筐体１２Ｄの周りを回転する。このような回転によって、雄ねじ山領域２８Ｄと雌ねじ山領域３６Ｄが螺合可能に係合し、顎部１６を十分に締めることができる。また、上に記載した位置揃えは、調節鍔部１４Ｄが筐体１２Ｄに沿って同軸上を上方に（言わば矢印７４で示す方向とは反対方向に）急に移動して顎部１６を急開する。
【００６６】
図１７Ａおよび１７Ｂは、別の調節可能なソケット１０Ｅを表す。図面では、調節可能なソケット１０と別の調節可能なソケット１０Ｅに共通する構成要素には同じ符号を付与し、さらに記載する必要はないものとする。別の調節可能なソケット１０Ｅに特有の構成要素には、接尾語「Ｅ」を含む符号を付与する。筐体１２Ｅは筐体１２とほぼ同じであり、非ねじ山領域７０Ｅによって筐体１２Ｅのねじ２８Ｅが連続しておらず、非ねじ山領域７０Ｅには、顎部１６の開閉時にその位置を示す較正された目盛り７８を備える点が異なる。顎部の位置は、調節鍔部１４の上部リム８０が目盛り７８と交差する点によって示される。目盛り７８には、適切な較正表示（図示せず）を入れることができ、上に記載するように顎部１６の開閉時、各較正表示が、顎部１６の内面部３８に接線方向の複数の抽象円の１つに対応する。
【００６７】
図１８Ａ〜１８Ｃは、別の調節可能なソケット１０Ｆを表す。図面では、調節可能なソケット１０と別の調節可能なソケット１０Ｆに共通する構成要素には同じ符号を付与し、さらに記載する必要はないものとする別の調節可能なソケット１０Ｆに特有の構成要素には、接尾語「Ｆ」を含む符号を付与する。別の調節可能なソケット１０Ｆの調節鍔部１４Ｆには、外円筒が形成され、調節可能なソケット１０の調節鍔部１４には、直径が小さい円筒の上端部６２と直径が大きい円筒の下端部６４（図２Ａ〜２Ｃ）との間の中央に円錐台部６０がある。内部的には、別の調節可能なソケット１０Ｆの調節鍔部１４Ｆ内にある室部３４Ｆは円筒形であり、調節可能なソケット１０の調節鍔部１４内の室部３４には、円筒下部６８の上方に円錐台部６６がある。室部３４Ｆには、平坦な下部円周リム５６Ｆがある。このような相違点によって、別の調節可能なソケット１０Ｆより調節可能なソケット１０の方が流線型かつ小型に見えるが、複雑となり、調節可能なソケット１０を製造するのに必要な時間および費用が、別の調節可能なソケット１０Ｆより増大する。
【００６８】
図１９Ａ〜１９Ｃは、「深い」調節可能なソケット１０Ｇを表す。図面では、調節可能なソケット１０と別の調節可能なソケット１０Ｇに共通する構成要素には同じ符号を付与し、さらに記載する必要はないものとする。別の調節可能なソケット１０Ｇに特有の構成要素には、接尾語「Ｇ」を含む符号を付与する。別の調節可能なソケット１０Ｇの筐体１２Ｇは筐体１２とほぼ同じであるが、筐体１２Ｇが縦軸２２方向に調節鍔部１４の下端部より下方に延伸している点が異なる。また、筐体１２Ｇの円周に間隔をおいて形成される開口凹部２４Ｇが延伸し、同じように延伸した顎部１６Ｇを収容する。このような延伸によって、凹部に顎部１２Ｇを挿入して締結具を把持することが容易となり、調節可能なソケット１０ではこれを達成することができない。
【００６９】
図２０Ａおよび２０Ｂは、別の調節可能なソケット１０Ｈを表す。図面では、調節可能なソケット１０と別の調節可能なソケット１０Ｈに共通する構成要素には同じ符号を付与し、さらに記載する必要はないものとする。別の調節可能なソケット１０Ｈに特有の構成要素には、接尾語「Ｈ」を含む符号を付与する。調節可能なソケット１０に関して上に記載した保持器１８の代わりに、別の調節可能なソケット１０Ｈには、直径方向に対向した各対の顎部の間に付勢部材（たとえばばね）２０Ｈを備える。調節可能なソケット１０Ｈに、直径方向に対向した３対の顎部１６Ｈ１、１６Ｈ２および１６Ｈ３（言わば図に示すような計６つの顎部）がある場合は、３つのばね２０Ｈが設けられる。対となる顎部１６Ｈ１には、凹部４６Ｈ１が備えられ、凹部４６Ｈ１は、対となる顎部１６Ｈ２に備えられる凹部４６Ｈ２より顎部の上面部３９の近くにある。対となる顎部１６Ｈ３には、凹部４６Ｈ３が備えられ、凹部４６Ｈ３は、対となる顎部１６Ｈ２に備えられる凹部４６Ｈ２より顎部の上面部３９の遠くにある。図２０Ｃ〜２０Ｄで示すように、このように対となる凹部４６Ｈ１、４６Ｈ２および４６Ｈ３を間隔おいて備えることによって、対向した顎部１６Ｈ１の凹部４６Ｈ１の間に第１のばね２０Ｈを取り付け、対向した顎部１６Ｈ２の凹部４６Ｈ２の間に第２のばね２０Ｈを取り付け、対向した顎部１６Ｈ３の凹部４６Ｈ３の間に第３のばね２０Ｈを取り付けることができる。顎部の面取りした外面部４０が調節鍔部１４の面取りした下端部３２に接するまで、ばね２０Ｈが軸２２から半径方向外側に顎部１６Ｈ１、１６Ｈ２、１６Ｈ３を付勢する。
【００７０】
図２１Ａ〜２１Ｄは、別の「積層構造の」顎部１６Ｉを表す。図面では、顎部１６と積層した顎部１６Ｉに共通する構成要素には同じ符号を付与し、さらに記載する必要はないものとする。積層した顎部１６Ｉには、中央層８２、２つの対向した上側層８４と２つの対向した下側層８６が組み込まれる。図２１Ｄに示すように、リベット受口部８８の位置を揃えて層８２、８４、８６を組み立て、位置を揃えたリベット受口部にリベット９０を留める。
【００７１】
図２２は、別の調節鍔部１４Ｊを表す。図面では、調節鍔部１４と別の調節鍔部１４Ｊに共通する構成要素には同じ符号を付与し、さらに記載する必要はないものとする。別の調節鍔部１４Ｊに特有の構成要素には，接尾語「Ｊ」を含む符号を付与する。調節鍔部１４Ｊが、２つの部分、ひとつは主要部９２、もうひとつはリング９４に形成される。リング９４をプラスチックや同じような材料で形成してもよい。調節鍔部１４Ｊの把持を改善するために、（図に示すように）リング９４の外面部９６に刻みを付けてもよい。さらに、あるいはこのほかに、外面部９６には、商標、商号、または他の印を彫ったり、刻んだり、塗り付けたり、形成してもよい。リング９４には、主要部９２に形成されるうねのある外面部１００に連結係合するような大きさおよび形状のうねのある内面部９８を備えてもよい。リング９４を主要部９２に圧入してうねのある表面９８、１００と連結係合させることによって、主要部９２に対してリング９４が回転しないようにする。
【００７２】
図２３Ａ〜２３Ｃは、別の４つの顎部を備える調節可能なソケット１０Ｋを表す。図面では、調節可能なソケット１０と４つの顎部を供える調節可能なソケット１０Ｋに共通する構成要素には同じ符号を付与し、さらに記載する必要はないものとする。別の調節可能なソケット１０Ｋに特有の構成要素には、接尾語「Ｋ」を含む符号を付与する。筐体１２Ｋは筐体１２とほぼ同じであり、円周に等間隔で形成され、顎部を受ける（６つではなく）４つの開口凹部２４Ｋが、筐体１２Ｋに形成され、筐体１２Ｋの下端部に延伸する点が異なる。保持器１８Ｋは保持器１８とほぼ同じであり、円周に等間隔で形成される（６つではなく）４つの凹部が保持器１８Ｋの下方の突出する止め具に形成される。調節可能なソケット１０Ｋには、２対の直径方向に対向した顎部１６（言わば計４つの顎部１６）がある。図２３Ｃに示すように、操作時には、調節鍔部１４は、筐体１２Ｋの周りを第１の方向５３に回転し、筐体１２Ｋに沿って同軸上を下方に移動する。これにより、調節鍔部１４の面取りした下端部３２が、顎部の面取りした外面部４０に対して押し出されると、ばね２０の付勢力を上回り、矢印５５で示したように半径方向内側に顎部１６が押し込まれる。このため、顎部の内面部３８は内面部３８の間に位置する締結具４７Ｋ（たとえばボルトまたはナット）の正方形の頭部に対して押し出される。
【００７３】
図２４Ａ〜２４Ｃは、別の３つの顎部を備える調節可能なソケット１０Ｌを表す。図面では、調節可能なソケット１０と３つの顎部を供える調節可能なソケット１０Ｌに共通する構成要素には同じ符号を付与し、さらに記載する必要はないものとする。別の調節可能なソケット１０Ｌに特有の構成要素には、接尾語「Ｌ」を含む符号を付与する。筐体１２Ｌは筐体１２とほぼ同じであり、円周に等間隔で形成され、顎部を受ける（６つではなく）３つの開口凹部２４Ｌが、筐体１２Ｌに形成され、筐体１２Ｌの下端部に延伸する点が異なる。保持器１８Ｌは保持器１８とほぼ同じであり、円周に等間隔で形成される（６つではなく）３つの凹部が保持器１８Ｌの下方の突出する止め具に形成される。調節可能なソケット１０Ｌには、３つの顎部１６がある。図２４Ｃに示すように、操作時には、調節鍔部１４が、筐体１２Ｌの周りを第１の方向５３に回転し、筐体１２Ｌに沿って同軸上を下方に移動する。これにより、調節鍔部１４の面取りした下端部３２が、顎部の面取りした外面部４０に対して押し出されると、ばね２０の付勢力を上回り、矢印５５で示したように半径方向内側に顎部１６が押し込まれる。このため、顎部の内面部３８は内面部３８の間に位置する締結具４７（たとえばボルトまたはナット）の円周に等間隔で形成される３つの六角形の頭部の６つの外側面に対して押し出される。
【００７４】
多くの典型的な態様および実施形態に関して上で検討したが、当業者であれば、特定の改変、置換、追加およびその組み合わせを認識するであろう。たとえば、筐体１２の雄ねじ２８および調節鍔部１４の雌ねじ３６が、顎部１６の急開および急閉を容易にする二条ねじやこのほかの種類の多条ねじであってよい。別の実施例として、ドライバー工具（図示せず）を調節鍔部１４と着脱可能に駆動連結されてもよく、顎部１６が調節可能な位置となるように、調節鍔部１４が筐体１２の周りで回転可能に動作するように作動させてもよい。以上のことから、本願の特許請求の範囲には、本願の趣旨と範囲内にあるような改変、置換、追加およびその組み合わせのいずれもが含められているものと解釈されることが意図される。
【図１】
2011518678.tif 000003
【図２Ａ】
2011518678.tif 000004
【図２Ｂ】
2011518678.tif 000005
【図２Ｃ】
2011518678.tif 000006
【図２Ｄ】
2011518678.tif 000007
【図３Ａ】
2011518678.tif 000008
【図３Ｂ】
2011518678.tif 000009
【図３Ｃ】
2011518678.tif 000010
【図３Ｄ】
2011518678.tif 000011
【図３Ｅ】
2011518678.tif 000012
【図３Ｆ】
2011518678.tif 000013
【図３Ｇ】
2011518678.tif 000014
【図４Ａ】
2011518678.tif 000015
【図４Ｂ】
2011518678.tif 000016
【図４Ｃ】
2011518678.tif 000017
【図４Ｄ】
2011518678.tif 000018
【図５Ａ】
2011518678.tif 000019
【図５Ｂ】
2011518678.tif 000020
【図５Ｃ】
2011518678.tif 000021
【図６Ａ】
2011518678.tif 000022
【図６Ｂ】
2011518678.tif 000023
【図６Ｃ】
2011518678.tif 000024
【図７Ａ】
2011518678.tif 000025
【図７Ｂ】
2011518678.tif 000026
【図７Ｃ】
2011518678.tif 000027
【図７Ｄ】
2011518678.tif 000028
【図８Ａ】
2011518678.tif 000029
【図８Ｂ】
2011518678.tif 000030
【図８Ｃ】
2011518678.tif 000031
【図８Ｄ】
2011518678.tif 000032
【図９Ａ】
2011518678.tif 000033
【図９Ｂ】
2011518678.tif 000034
【図９Ｃ】
2011518678.tif 000035
【図９Ｄ】
2011518678.tif 000036
【図１０Ａ】
2011518678.tif 000037
【図１０Ｂ】
2011518678.tif 000038
【図１０Ｃ】
2011518678.tif 000039
【図１０Ｄ】
2011518678.tif 000040
【図１１Ａ】
2011518678.tif 000041
【図１１Ｂ】
2011518678.tif 000042
【図１１Ｃ】
2011518678.tif 000043
【図１２Ａ】
2011518678.tif 000044
【図１２Ｂ】
2011518678.tif 000045
【図１２Ｃ】
2011518678.tif 000046
【図１２Ｄ】
2011518678.tif 000047
【図１３Ａ】
2011518678.tif 000048
【図１３Ｂ】
2011518678.tif 000049
【図１３Ｃ】
2011518678.tif 000050
【図１３Ｄ】
2011518678.tif 000051
【図１４Ａ】
2011518678.tif 000052
【図１４Ｂ】
2011518678.tif 000053
【図１４Ｃ】
2011518678.tif 000054
【図１４Ｄ】
2011518678.tif 000055
【図１５Ａ】
2011518678.tif 000056
【図１５Ｂ】
2011518678.tif 000057
【図１５Ｃ】
2011518678.tif 000058
【図１５Ｄ】
2011518678.tif 000059
【図１６Ａ】
2011518678.tif 000060
【図１６Ｂ】
2011518678.tif 000061
【図１６Ｃ】
2011518678.tif 000062
【図１６Ｄ】
2011518678.tif 000063
【図１６Ｅ】
2011518678.tif 000064
【図１６Ｆ】
2011518678.tif 000065
【図１７Ａ】
2011518678.tif 000066
【図１７Ｂ】
2011518678.tif 000067
【図１８Ａ】
2011518678.tif 000068
【図１８Ｂ】
2011518678.tif 000069
【図１８Ｃ】
2011518678.tif 000070
【図１９Ａ】
2011518678.tif 000071
【図１９Ｂ】
2011518678.tif 000072
【図１９Ｃ】
2011518678.tif 000073
【図２０Ａ】
2011518678.tif 000074
【図２０Ｂ】
2011518678.tif 000075
【図２０Ｃ】
2011518678.tif 000076
【図２０Ｄ】
2011518678.tif 000077
【図２１Ａ】
2011518678.tif 000078
【図２１Ｂ】
2011518678.tif 000079
【図２１Ｃ】
2011518678.tif 000080
【図２１Ｄ】
2011518678.tif 000081
【図２２】
2011518678.tif 000082
【図２３Ａ】
2011518678.tif 000083
【図２３Ｂ】
2011518678.tif 000084
【図２３Ｃ】
2011518678.tif 000085
【図２４Ａ】
2011518678.tif 000086
【図２４Ｂ】
2011518678.tif 000087
【図２４Ｃ】
2011518678.tif 000088
【国際調査報告】
2011518678.tif 000089
2011518678.tif 000090